(57)【要約】      （修正有）【課題】より様々な音の高さ、音の質を楽しむことのできる太鼓を提供する。【解決手段】曲率の異なる凸曲線部分を有して構成される胴部材２と、胴部材に張られる一対の皮部材３と、一対の皮部材に交互に通され、皮部材を締め上げる糸状部材４と、胴部材の周囲に巻き回される複数の楔部材５と、を有することを特徴とする。なおこの場合において、楔部材の底部は、胴部材の前記凸曲線部分の最も曲率の大きな曲面に合わせて形成されていることが好ましく、また、胴部材には、楔部材を配置するための溝が周方向に形成されていることが好ましく、また、胴部材は、凹曲線部分も有して構成されることが好ましく、また、複数の楔部材は、遊びを介して接続部剤により接続されていることが好ましい。【選択図】図１
0003179125.tif 000002
【実用新案登録請求の範囲】
【請求項１】
曲率の異なる凸曲線部分を有して構成される胴部材と、
前記胴部材に張られる一対の皮部材と、
前記一対の皮部材に交互に通され、前記皮部材を締め上げる糸状部材と、
前記胴部材の周囲に巻き回される複数の楔部材と、を有する太鼓。
【請求項２】
前記楔部材の底部は、前記胴部材の前記凸曲線部分の最も曲率の大きな曲面に合わせて形成されている請求項１記載の太鼓。
【請求項３】
前記胴部材には、前記楔部材を配置するための溝が周方向に形成されている請求項１記載の太鼓。
【請求項４】
前記胴部材は、凹曲線部分も有して構成される請求項１記載の太鼓。
【請求項５】
前記複数の楔部材は、遊びを介して接続部剤により接続されている請求項１記載の太鼓。
【考案の詳細な説明】
【技術分野】
【０００１】
本考案は、太鼓に関する。より具体的には、祭りの際打ち鳴らすのに好適な締太鼓に関する。
【背景技術】
【０００２】
太鼓は、中空の筒形状の胴と、この胴の両面に皮を張り、この皮を敲くことで音を鳴らすことのできる打楽器である。
【０００３】
太鼓の中でも、和太鼓は、日本の祭りを盛り上げるために欠かすことのできない楽器である。
【０００４】
和太鼓としては、例えば、筒形状の胴と、この筒の両面に皮を張り、この両面の皮に縄を交互に通して締め上げ、更に胴の周囲に縄を締めるよう楔を配置する締太鼓がある。この締太鼓は、チヂンとして奄美大島の特産品となっている。
【考案の概要】
【考案が解決しようとする課題】
【０００５】
上記締太鼓は、楔により縄の張り具合を調節することが可能であり、非常に有用なものであり、敲く場所によって音質を変えることができ、状況に合わせて様々な質の音を出すことができる。
【０００６】
しかしながら、音の高さは変えることができない。音の質をかえるにしても縄の針具合を調整しなければならず、その場で変えることは難しい。また、様々な音の高さを実現するためには複数の太鼓を用いる必要があるが、それでも用いた太鼓の数だけの音の高さしか実現できず、ある程度連続的に音の高さを変えることができればより好適な太鼓となる。
【０００７】
そこで、本考案は、上記課題を鑑み、より様々な音の高さ、音の質を楽しむことのできる太鼓を提供することを目的とする。
【課題を解決するための手段】
【０００８】
本考案の一観点に係る締太鼓は、曲率の異なる凸曲線部分を有して構成される胴部材と、胴部材に張られる一対の皮部材と、一対の皮部材に交互に通され、皮部材を締め上げる糸状部材と、胴部材の周囲に巻き回される複数の楔部材と、を有することを特徴とする。
【考案の効果】
【０００９】
以上本考案により、上より様々な音の高さ、音の質を楽しむことのできる太鼓を提供することができる。
【図面の簡単な説明】
【００１０】
【図１】実施形態に係る締太鼓の正面を示す概略図である。
【図２】実施形態に係る締太鼓の一側面を示す概略図である。
【図３】実施形態に係る締太鼓の一断面を示す概略図である。
【図４】締太鼓の胴部材の他の形状の例を示す図である。
【図５】締太鼓の胴部材の他の形状の例を示す図である。
【図６】実施形態に係る締太鼓の楔部材及び接続部剤の概略を示す図である。
【図７】実施形態に係る締太鼓の保持部材の概略を示す図である。
【図８】実施形態に係る締太鼓をたたく撥の概略を示す図である。
【図９】実際に作成した締太鼓の写真図である。
【考案を実施するための最良の形態】
【００１１】
以下、本考案の実施形態について図面を用いて詳細に説明する。ただし、本考案は多くの異なる形態による実施が可能であり、以下に示す実施形態の例示にのみ限定されるものではない。
【００１２】
図１は、本実施形態に係る締太鼓の正面の概略を示す図であり、図２は一側面から見た場合の概略図であり、図３は一側面における断面の概略図である。
【００１３】
本図で示すとおり、本実施形態に係る締太鼓１は、曲率の異なる凸曲線部分を有して構成される胴部材２と、この胴部材２に張られる一対の皮部材３と、一対の皮部材３に交互に通され、皮部材３を締め上げる糸状部材４と、胴部材２の周囲に巻き回される複数の楔部材５と、を有する。
【００１４】
本実施形態において胴部材２は、本太鼓１の主要な骨格となる部材であり、上記のとおり中空の筒状となっているとともに、曲率の異なる凸曲線部分を有している。胴部材２の材質としては、皮部材３を安定的に保持することができる限りにおいて限定されるわけではないが、例えば木材、金属、樹脂等を採用することができる。
【００１５】
本実施形態において、胴部材２は、面方向（胴部材に張られる皮部材が形成する面に垂直な方向をいう。以下同じ。）の中央が膨らんだ形状となっていてもよい。また本実施形態において、胴部材２の厚さ（一対の開口部の縁間の距離をいう。）は、適宜調整可能であるが、持ち運びの観点から５ｃｍ以上３０ｃｍ以下の範囲にあることが好ましい。
【００１６】
また本実施形態において胴部材２は、角部を有し、この角部が曲率の異なる凸曲線部分を有している。異なる凸曲線部分を有することで、この部分によって、張られた皮部材３を叩いた場合において、その場所毎に張り具合、音の反響が異なることとなるため、異なる高さの音、異なる音質を実現することができる。しかもこれらは一体となっているため、離散的ではなく位置を少しずつ変えることで連続的に音を変化させることができるようになる。
【００１７】
また本実施形態において胴部材２は、凹曲線部分も有していることが好ましい。このようにすることで、形状をより自由に設計することができるようになるとともに、複数の凸曲線部分によって形成される領域を凹曲線部分によって効率よく分割し、より明確な音を出すことができるようになる。さらに、凹曲線部分を有すると楔部材５が凹曲線部分から離れる方向に力が生じるところもあるため、この生じる力が糸状部材をよりきつく締める方向に働くといった利点もある。本実施形態における胴部材２の形状は、これらの図で示されるような形状に限られず、多種多様な設計が可能であり、限定されるものではない。本実施形態に係る太鼓の胴部材２では、５つの丸みを帯びた頂点を有するものであり、明確に形状を分類できない不定形状となっているが、例えば図３、４で示されるような他の例（胴部材の形状のみ表示）も可能である。本実施形態において、丸みを帯びた（曲率を有する）頂点を複数設ける構造としているがこの頂点の数としては２以上あれば特に限定されないが、４〜６程度が音質や大きさ等とのバランスから好ましい。
【００１８】
また本実施形態において胴部材２には、楔部材５を配置するための溝が周方向に形成されている。このようにすることで楔部材がずれてしまうことを防止することができるといった効果がある。なおこの溝の位置は、胴部材２の面方向の中央に形成されていてもよいがずれていても良い。中央に形成することでより均等な皮部材の針を維持することができる一方、ずらすことで、太鼓を敲いた際の音質を異ならせることができより様々な音質を実現できる。
【００１９】
本実施形態において、皮部材３は、一対で形成されており、胴部材の一対の開口部それぞれに張られ表面を形成する部材であり、撥により殴打されることで空気が振動し、音となる。皮部材３の材質としては、音を発することができる程度に張ることができるものである限りにおいて限定されるわけではないが、例えば牛等の皮を用いた天然皮革であってもよく、布や合成樹脂等を用いた人工皮革であってもよく、特に限定されない。
【００２０】
また本実施形態において、皮部材３は、胴部材２の形状に合わせて形成されていることが好ましい。このようにすることで均一の針を実現することができる。また、皮部材３の周囲には、周囲に沿って孔が形成されている。
【００２１】
また本実施形態において、一対の皮部材３には上記孔を介して糸状部材４が交互に通され、胴部材２の周方向にジグザグ巻かれている。この概略図を図４に示しておく。本実施形態において、糸状部材４は、皮部材３をしっかりと張る程度に引張り強い部材である限りにおいて限定されるわけではないが、径が１ｍｍ以上１０ｍｍ以下のものであることが好ましく、１ｍｍ以上５ｍｍ以下であることがより好ましい。１ｍｍ以上とすることで十分な強度を確保することができ、１０ｍｍ以下とすることでコンパクトに胴周囲に巻きまわすことができ、５ｍｍ以下とすることでこの効果がより顕著となる。なお本実施形態において「糸状部材」は、高分子からなる一本の糸であっても良いが、複数の繊維又は糸が組み合わされた縄状の部材であっても良い。
【００２２】
また本太鼓１では、楔部材５が胴部材２の周囲に配置されている。より具体的には、各楔部材５は、糸状部材４と胴部材２の隙間に打ち込まれており、各々の楔部材は、遊びを介して接続部剤によって隣接する楔部材と接続されている。この結果、本実施形態に係る楔部材５は、周方向に移動させることで、糸状部材を介して皮部材３を締め上げることができる。楔部材の連結構造の概略について、図６に示しておく。
【００２３】
本図で示されるように、本実施形態において、楔部材は、先端部分及び後端部分にそれぞれ貫通孔が形成されており、この貫通孔にこの貫通孔の径よりも小さい棒状部材がそれぞれ挿入され、隣接する楔部材の棒状部材を固定部材によって接続することで実現することができる。貫通孔の径と棒状部材の径の差が遊びとなるため、この部分で各々の楔が自由に動き、糸状部材を締め上げることができるようになる。またこれによって、複数の楔部材５は強固に接続され、持ち運んだ場合であっても緩みにくく、仮に緩んだとしても脱落の虞が非常に少なくなり有用である。
【００２４】
また本実施形態における楔部材５の形状としては、上記のとおり機能を有する限りにおいて限定されるわけではないが、三角形状を基礎とし、この三角形の少なくとも一辺は一定の曲率をもって曲がっていることが好ましく、より好ましくは、胴部材の凸曲線部分の最も曲率の大きな曲面に合わせて形成されている（最も曲率の大きな曲面にフィットしている）ことが好ましい。このように摺ることで、同じ形状の楔部材を巻きまわし、周方向に移動させるとしてもこの辺の両端において確実に胴部材２を捉えることができ、楔部材の位置が安定する。
【００２５】
また本太鼓１には、胴部材２に固定される保持部材６を有している。使用者はこの保持部材６を介して本太鼓１を保持しつつ持ち運び、安定的に敲くことが可能となる。
【００２６】
本実施形態の保持部材６の形状、構造としては、限定されるわけではないが、例えば図７で示すように、腰当部６１と肩当部６２と、これらを接続するフレーム６３と、を有していることが好ましい。これにより両手で太鼓の両面を敲くことができるようになる。
【００２７】
また、本実施形態にかかる太鼓は、手でたたくこともできるが、撥でたたくことが好ましい。撥は市販される一般的な形状のものを採用することができるが、例えば図８で示すように、細長い板状の柄部分の先端に円形状の板材が取り付けられたものであることも好ましい。このように摺ることで、薄い側面で敲くと鋭く硬い音が、広い面部分で敲くと柔らかい音が出せるようになる。特にこの部材を金属で構成すると、金属自身の振動とあいまってより複雑な音を出すことができるようになる。
【００２８】
以上本考案により、より様々な音の高さ、音の質を楽しむことのできる太鼓を提供することができる。より具体的には、曲率の異なる凸曲線部分を有して構成されることで、様々な音の質、音の高さを楽しむことができる。なお、実際に作成した太鼓の写真図を図９に示しておく。この太鼓は敲く位置によって音の高さ、音の質が異なり、しかも連続的に音が変化していくため、音楽や踊りに合わせた音の質、音の高さを得ることができた。
【産業上の利用可能性】
【００２９】
本考案は、締太鼓として産業上の利用可能性がある。
【図１】
0003179125.tif 000003
【図２】
0003179125.tif 000004
【図３】
0003179125.tif 000005
【図４】
0003179125.tif 000006
【図５】
0003179125.tif 000007
【図６】
0003179125.tif 000008
【図７】
0003179125.tif 000009
【図８】
0003179125.tif 000010
【図９】
0003179125.tif 000011